(57)【要約】【課題】小型化できる照明器具を提供する。【解決手段】照明器具１０は、光源部１１０と第１電力線１３０と放熱部１２０とを含む光源ユニット１００と、光源ユニット１００が固定されているベース部材１５０と、光源ユニット１００をベース部材１５０に固定している第２固定具１８０と、ベース部材１５０に挿通され、光源ユニット１００に向かって延びている第２電力線１６０と、光源部１１０に接続された第１電力線１３０と、第２電力線１６０とを電気的に接続している圧着端子部１７０とを備える。光源部１１０は、発光素子１１１を含む。第１電力線１３０及び第２電力線１６０は、光源部１１０に電力を供給する。放熱部１２０は、発光素子１１１からの熱を放散する。光源部１１０は、放熱部１２０の第１所定領域１２１Ｗに固定されている。第２固定具１８０は、第１所定領域１２１Ｗの側から、放熱部１２０をベース部材１５０に固定している。【選択図】図３
2017174669.tif 000002
【特許請求の範囲】
【請求項１】
光源部と第１電力線と放熱部とを含む光源ユニットと、
前記光源ユニットが固定されているベース部材と、
前記光源ユニットを前記ベース部材に固定している固定具と、
前記ベース部材に挿通され、前記光源ユニットに向かって延びている第２電力線と、
前記光源部に接続された前記第１電力線と、前記第２電力線とを電気的に接続している圧着端子部と
を備え、
前記光源部は、発光素子を含み、
前記第１電力線及び前記第２電力線は、前記光源部に電力を供給し、
前記放熱部は、前記発光素子からの熱を放散し、
前記光源部は、前記放熱部の所定領域に固定されており、
前記固定具は、前記所定領域の側から、前記放熱部を前記ベース部材に固定している、照明器具。
【請求項２】
前記ベース部材は、前記圧着端子部を収容する端子収容部を含む、請求項１に記載の照明器具。
【請求項３】
前記放熱部は、貫通孔を有し、
前記第１電力線は、前記貫通孔から、前記所定領域の反対側に引き出されている、請求項１または請求項２に記載の照明器具。
【請求項４】
前記光源ユニットは、前記光源部を覆うカバーをさらに含み、
前記カバーは、前記光源部に固定されている、請求項１から請求項３のいずれか１項に記載の照明器具。
【請求項５】
前記光源部は、
前記発光素子が取り付けられている基板と、
前記所定領域の側で前記基板を保持している保持部と
をさらに含み、
前記保持部は、前記所定領域に固定されている、請求項１から請求項４のいずれか１項に記載の照明器具。
【請求項６】
前記第２電力線に接続される電源部と、
前記電源部を収容する電源収容部と、
前記電源収容部と前記ベース部材とを連結する連結部と
をさらに備える、請求項１から請求項５のいずれか１項に記載の照明器具。
【発明の詳細な説明】
【技術分野】
【０００１】
本発明は、照明器具に関する。
【背景技術】
【０００２】
特許文献１に記載された照明器具は、ＬＥＤユニットと、ＬＥＤユニットが取付けられる器具本体とを備える。ＬＥＤユニットは、板状のベースと、ＬＥＤチップを用いた発光装置と、発光装置の前面側に配置されるカバーと、発光装置に電気的に接続された電線とを備える。ベースには、発光装置とカバーとが取付けられている。ベースは、器具本体に取り付けられている。電線は、ベースから引き出され、電線の先端部にはコネクタが設けられている。器具本体には、電源ユニットを収納する収納部が設けられている。コネクタは、収納部の内部で、電源ユニット側のコネクタと着脱可能に接続される。
【先行技術文献】
【特許文献】
【０００３】
【特許文献１】特開２０１２−１８１９４４号公報
【発明の概要】
【発明が解決しようとする課題】
【０００４】
しかしながら、特許文献１に記載された照明器具では、コネクタを電源ユニット側のコネクタと着脱可能に接続するために、コネクタの構造が比較的複雑である。例えば、コネクタ同士を着脱可能に接続するために、一方のコネクタには、爪部などの係合手段を設ける必要があり、他方のコネクタには、引掛部などの被係合手段を設ける必要がある。また、例えば、コネクタ同士を着脱可能に接続するために、一方のコネクタにはジャックを形成し、他方のコネクタにはプラグを形成する必要がある。従って、コネクタのサイズが比較的大きくなる。その結果、コネクタが照明器具の小型化を阻害している。
【０００５】
本発明は上記課題に鑑みてなされたものであり、その目的は、小型化できる照明器具を提供することにある。
【課題を解決するための手段】
【０００６】
本願に開示する照明器具は、光源ユニットと、ベース部材と、固定具と、第２電力線と、圧着端子部とを備える。光源ユニットは、光源部と第１電力線と放熱部とを含む。ベース部材は、前記光源ユニットが固定されている。固定具は、前記光源ユニットを前記ベース部材に固定している。第２電力線は、前記ベース部材に挿通され、前記光源ユニットに向かって延びている。圧着端子部は、前記光源部に接続された前記第１電力線と、前記第２電力線とを電気的に接続している。前記光源部は、発光素子を含む。前記第１電力線及び前記第２電力線は、前記光源部に電力を供給する。前記放熱部は、前記発光素子からの熱を放散する。前記光源部は、前記放熱部の所定領域に固定されている。前記固定具は、前記所定領域の側から、前記放熱部を前記ベース部材に固定している。
【０００７】
本願に開示する照明器具において、前記ベース部材は、前記圧着端子部を収容する端子収容部を含むことが好ましい。
【０００８】
本願に開示する照明器具において、前記放熱部は、貫通孔を有することが好ましい。前記第１電力線は、前記貫通孔から、前記所定領域の反対側に引き出されていることが好ましい。
【０００９】
本願に開示する照明器具において、前記光源ユニットは、前記光源部を覆うカバーをさらに含むことが好ましい。前記カバーは、前記光源部に固定されていることが好ましい。
【００１０】
本願に開示する照明器具において、前記光源部は、基板と、保持部とをさらに含むことが好ましい。基板には、前記発光素子が取り付けられていることが好ましい。保持部は、前記所定領域の側で前記基板を保持していることが好ましい。前記保持部は、前記所定領域に固定されていることが好ましい。
【００１１】
本願に開示する照明器具は、電源部と、電源収容部と、連結部とをさらに備えることが好ましい。電源部は、前記第２電力線に接続されることが好ましい。電源収容部は、前記電源部を収容することが好ましい。連結部は、前記電源収容部と前記ベース部材とを連結することが好ましい。
【発明の効果】
【００１２】
本発明によれば、照明器具を小型化できる。
【図面の簡単な説明】
【００１３】
【図１】本発明の実施形態に係る照明セットを示す模式図である。
【図２】本発明の実施形態に係る照明器具の照明ユニットを示す分解斜視図である。
【図３】本発明の実施形態に係る照明器具の照明ユニットを示す模式的断面図である。
【発明を実施するための形態】
【００１４】
以下、本発明の実施形態について、図面を参照しながら説明する。なお、図中、同一または相当部分については同一の参照符号を付して説明を繰り返さない。
【００１５】
図１は、本発明の実施形態に係る照明セット１を示す模式図である。図１に示すように、照明セット１は、照明器具１０と、コード２０と、取り付け部材３０とを備える。取り付け部材３０は、例えば取付面Ｃに取り付けられる。取付面Ｃは、例えば、天井ボードの裏面と表面とのうちの表面である。本実施形態では、取付面Ｃは水平方向に沿って延びる。なお、取付面Ｃは水平方向に対して傾斜していてもよい。
【００１６】
コード２０の一方端は、取り付け部材３０から引き出され、照明器具１０に接続される。コード２０の他方端は、外部電源に接続されている。本実施形態において、外部電源は商用電源である。
【００１７】
照明器具１０は、複数の照明ユニット１１と、電源収容部１２と、複数のアーム部１３（複数の連結部）と、電源部１４とを含む。照明器具１０は、例えばシャンデリアである。図１では、説明の便宜のため、１つの照明ユニット１１の断面を示している。
【００１８】
電源収容部１２は、電源部１４を収容する。電源部１４は、コード２０に接続される。電源部１４には、コード２０を介して外部電力が供給される。複数のアーム部１３は、それぞれ、複数の照明ユニット１１に対応して配置される。アーム部１３は、アーム部１３に対応する照明ユニット１１と、電源収容部１２とを連結する。
【００１９】
照明ユニット１１は、第１電力線１３０を含む光源ユニット１００と、ベース部材１５０と、第２電力線１６０と、圧着端子部１７０とを含む。図１では、図面の簡略化のため、光源ユニット１００の断面を示す斜線を省略している。
【００２０】
光源ユニット１００は、ベース部材１５０の内部でベース部材１５０に固定される。アーム部１３は、ベース部材１５０と電源収容部１２とを連結する。ベース部材１５０は、端子収容部１５１を含む。ベース部材１５０は、例えば金属で形成される。例えば、ベース部材１５０は、アルミニウム製であることが好ましい。アルミニウムは軽量であるとともに、アルミニウムの熱伝導性は比較的高いからである。
【００２１】
第２電力線１６０は、アーム部１３を挿通され、更に、ベース部材１５０を挿通される。第２電力線１６０の一方端は、電源収容部１２の内部で電源部１４に接続される。第２電力線１６０は、光源ユニット１００に向かって延びている。第２電力線１６０の他方端は、圧着端子部１７０に接続される。圧着端子部１７０は、端子収容部１５１に収容される。
【００２２】
光源ユニット１００は、光源部１１０をさらに含む。光源部１１０は、例えば照射方向ＬＡに向かって最も強く発光する。照射方向ＬＡは光源部１１０の光軸に略平行である。第１電力線１３０の一方端は、光源部１１０に接続される。第１電力線１３０の他方端は、光源部１１０から照射方向ＬＡと反対の方向に引き出され、圧着端子部１７０に接続される。
【００２３】
圧着端子部１７０は、圧着を行い、第１電力線１３０と第２電力線１６０とを電気的に接続する。本実施形態では、圧着端子部１７０は、圧着を行い、第１電力線１３０と第２電力線１６０とを直接的に接続する。具体的には、圧着端子部１７０は、第１電力線１３０と第２電力線１６０とを圧着して電気的に接続する。なお、圧着端子部１７０は、圧着を行い、導電性部材を介して第１電力線１３０と第２電力線１６０とを間接的に接続してもよい。例えば、圧着端子部１７０は、第１導電性部材を第１電力線１３０に圧着し、第２導電性部材を第２電力線１６０に圧着し、第１導電性部材と第２導電性部材とを接続して、第１電力線１３０と第２電力線１６０とを電気的に接続してもよい。
【００２４】
電源部１４は、光源部１１０の仕様に基づいて、外部電力（交流）を内部電力（直流）に変換する。以下、内部電力を「電力」と記載する。そして、電源部１４は、第２電力線１６０、圧着端子部１７０及び第１電力線１３０を介して電力を光源部１１０に供給する。つまり、第２電力線１６０、圧着端子部１７０及び第１電力線１３０は、電源部１４からの電力を光源部１１０に供給する。
【００２５】
以上、図１を参照して説明したように、本実施形態によれば、照明器具１０は、第１電力線１３０と第２電力線１６０とを圧着端子部１７０によって接続している。そして、圧着端子部１７０は、一般的なコネクタのように着脱用の係合手段及び被係合手段並びにジャック及びプラグを備えていないため、一般的なコネクタよりも小さい。従って、第１電力線１３０と第２電力線１６０とを一般的なコネクタによって接続する場合と比較して、照明ユニット１１を小型化でき、ひいては、照明器具１０を小型化できる。
【００２６】
また、本実施形態によれば、圧着端子部１７０は一般的なコネクタよりも小さいため、端子収容部１５１を一般的なコネクタ収容部よりも小さくできる。従って、第１電力線１３０と第２電力線１６０とを一般的なコネクタによって接続する場合と比較して、照明ユニット１１を更に小型化でき、ひいては、照明器具１０を更に小型化できる。また、端子収容部１５１を設けることによって、圧着端子部１７０、第１電力線１３０、及び第２電力線１６０が露出することを抑制でき、ひいては、照明器具１０の美感を向上できる。以下、図２及び図３を参照して、光源ユニット１００を備える照明ユニット１１について詳細に説明する。
【００２７】
まず、図２を参照して、照明ユニット１１の構成について説明する。図２は、照明ユニット１１を示す分解斜視図である。図２に示すように、照明ユニット１１は、光源ユニット１００と、ベース部材１５０と、第２電力線１６０と、圧着端子部１７０とを備える。光源ユニット１００は、光源部１１０と、第１固定具１１６と、放熱部１２０と、放熱シート１２５と、第１電力線１３０と、カバー１４０と、第２固定具（固定具）１８０とを備える。
【００２８】
次に、図２及び図３を参照して、照明ユニット１１について詳細に説明する。図３は、照明ユニット１１を示す模式的断面図である。図２及び図３に示すように、カバー１４０は、略有底円筒状であり、光源部１１０を覆う。カバー１４０は、２つの係合孔１４１を有している。カバー１４０は、透明又は半透明であり、光源部１１０が出射した光を透過させる。ただし、カバー１４０は、光源部１１０が出射した光を拡散して出射してもよい。例えば、カバー１４０は、光拡散材料を混ぜた樹脂を有底円筒状に成形することによって形成される。例えば、カバー１４０は、透明又は半透明の有底円筒状の部材の光出射面又は光入射面に微小な凹凸を設けることによって形成される。
【００２９】
例えば、カバー１４０は、乳白色のような色彩を有していてもよい。さらに、カバー１４０は、略有底円筒状に限定されず、任意の形状であってもよい。例えば、カバー１４０は、レンズ機能を有する形状を有していてもよい。レンズ機能とは、光を屈折させて、光を発散又は収束させる機能のことである。
【００３０】
光源部１１０は、複数の発光素子１１１と、基板１１２と、保持部１１３とを含む。光源部１１０は、照射方向ＬＡに向かってカバー１４０の側に光を出射する。具体的には、発光素子１１１の各々は、照射方向ＬＡに向かってカバー１４０の側に光を出射する。発光素子１１１は、本実施形態では、ＬＥＤ（Ｌｉｇｈｔ  Ｅｍｉｔｔｉｎｇ  Ｄｉｏｄｅ）である。発光素子１１１は、基板１１２のうち、カバー１４０の側の面、つまり、実装面に取り付けられている。なお、図２及び図３では、図面の簡略化のため、複数の発光素子１１１をまとめて円板状に示している。また、光源部１１０は単数の発光素子１１１を含んでいてもよい。
【００３１】
複数の発光素子１１１は、本実施形態では、ＣＯＢ（Ｃｈｉｐ  ｏｎ  Ｂｏａｒｄ）タイプである。ＣＯＢタイプでは、基板１１２の実装面上で複数のＬＥＤが蛍光体で封止されている。なお、複数の発光素子１１１は、ＳＭＤ（Ｓｕｒｆａｃｅ  Ｍｏｕｎｔ  Ｄｅｖｉｃｅ）タイプであってもよい。ＳＭＤタイプでは、ＬＥＤと蛍光体とを１ユニット化してＬＥＤチップが形成され、複数のＬＥＤチップが基板１１２の実装面に載置されて基板１１２の導電パターンに電気的に接続されている。
【００３２】
基板１１２は、平面視において略矩形状である。基板１１２は、照射方向ＬＡに略直交する。
【００３３】
基板１１２は、アノード電極１１２ａとカソード電極１１２ｂとを有する。アノード電極１１２ａとカソード電極１１２ｂとは、基板１１２の実装面上に位置する。アノード電極１１２ａとカソード電極１１２ｂとは、それぞれ、基板１１２の対向する一対の隅部に位置する。アノード電極１１２ａ及びカソード電極１１２ｂは、それぞれ、発光素子１１１のアノード及びカソードと電気的に接続されている。さらに、アノード電極１１２ａ及びカソード電極１１２ｂは、それぞれ、保持部１１３のアノード電極及びカソード電極と電気的に接続されている。
【００３４】
保持部１１３は、略円盤状であり、絶縁体により形成される。本実施形態では、保持部１１３はソケットである。具体的には、保持部１１３は、２つの貫通孔１１３ｃ、開口部１１４及び２つの爪部１１５を有している。開口部１１４は、略円形状であり、保持部１１３の略中央部に位置する。発光素子１１１は、カバー１４０に向かって開口部１１４から露出している。２つの貫通孔１１３ｃは、開口部１１４を挟むように位置している。２つの貫通孔１１３ｃの各々は、照射方向ＬＡに沿って保持部１１３を貫通している。
【００３５】
２つの爪部１１５は、開口部１１４を挟むように位置している。２つの爪部１１５は、それぞれ、カバー１４０の２つの係合孔１４１に係合する。その結果、カバー１４０は、保持部１１３に固定されるとともに、保持部１１３を覆う。すなわち、カバー１４０は、光源部１１０に固定されるとともに、光源部１１０を覆う。
【００３６】
放熱シート１２５は、略円形状である。放熱シート１２５は、例えば合成ゴム製のシート材により形成される。放熱シート１２５は、光源部１１０と放熱部１２０との間に介在する。具体的には、放熱シート１２５の一方の面は、基板１１２の実装面の反対側の面に対向している。また、放熱シート１２５の他方の面は、放熱部１２０に対向している。
【００３７】
放熱シート１２５は、基板１１２の実装面の反対側の面と放熱部１２０とに密着している。従って、放熱シート１２５は、発光素子１１１からの熱を放熱部１２０に効率良く伝達する。
【００３８】
放熱シート１２５は、貫通孔１２５ａ、貫通孔１２５ｂ、及び２つの貫通孔１２５ｃを有する。２つの貫通孔１２５ｃの位置は、保持部１１３の２つの貫通孔１１３ｃの位置に対応する。
【００３９】
放熱部１２０は、略円板状である。放熱部１２０は、基板１１２に沿って配置される。具体的には、放熱部１２０は、照射方向ＬＡに略直交するように、基板１１２に略平行に配置される。放熱部１２０は、第１面１２１、第２面１２２、貫通孔１２０ａ、貫通孔１２０ｂ、２つのネジ孔１２０ｃ、及び２つの貫通孔１２０ｄを有する。貫通孔１２０ａの位置は、放熱シート１２５の貫通孔１２５ａの位置に対応する。貫通孔１２０ｂの位置は、放熱シート１２５の貫通孔１２５ｂの位置に対応する。
【００４０】
放熱部１２０のうち第１面１２１は、放熱シート１２５に対向する。放熱部１２０の第１面１２１は、第１所定領域１２１Ｗ（所定領域）と第２所定領域１２１Ｓとを有する。図２では、理解の容易のため、第１所定領域１２１Ｗと第２所定領域１２１Ｓとの境界を破線で示している。第２所定領域１２１Ｓは、第１面１２１のうち、第１所定領域１２１Ｗの外側の領域である。
【００４１】
光源部１１０は、放熱シート１２５を介して放熱部１２０の第１所定領域１２１Ｗに固定されている。具体的には、保持部１１３は、第１所定領域１２１Ｗの側で基板１１２を保持しつつ、放熱部１２０の第１所定領域１２１Ｗに固定されている。第１所定領域１２１Ｗの側とは、放熱部１２０のうち、照射方向ＬＡを向いている側のことである。つまり、第１所定領域１２１Ｗの側とは、放熱部１２０のうち、第１面１２１の側のことである。また、放熱部１２０のうち第２面１２２は、第１面１２１の反対側の面である。２つのネジ孔１２０ｃの位置は、放熱シート１２５の２つの貫通孔１２５ｃの位置に対応する。
【００４２】
放熱部１２０は、発光素子１１１からの熱を放散する。具体的には、放熱部１２０は、放熱シート１２５によって伝達される光源部１１０からの熱を放散する。本明細書において、熱の放散とは、放熱のことであり、発熱または蓄熱している物体から、その物体の周囲の空気へ熱が伝わることである。また、光源部１１０が発した熱の大部分は、発光素子１１１が発した熱である。放熱部１２０は、伝熱性の高い材料で形成されており、例えば金属で形成されていることが好ましい。金属の中でも、成形加工の容易性や照明器具１０の軽量化を考慮し、例えばアルミニウムまたはアルミニウム合金で形成されていることが好ましい。放熱部１２０は、光源部１１０の異常な温度上昇を抑制できる。
【００４３】
第１固定具１１６は、本実施形態では、ネジである。２つの第１固定具１１６は、それぞれ、保持部１１３の２つの貫通孔１１３ｃを貫通する。さらに、２つの第１固定具１１６は、それぞれ、放熱シート１２５の２つの貫通孔１２５ｃを貫通する。そして、２つの第１固定具１１６は、それぞれ、放熱部１２０の２つのネジ孔１２０ｃに螺合される。その結果、光源部１１０は、放熱シート１２５を介して放熱部１２０に固定される。
【００４４】
第１電力線１３０は、光源部１１０に電力を供給するために、第１電源線１３１及び第２電源線１３２を含む。第１電源線１３１及び第２電源線１３２の各々は、絶縁体で被覆されている導線である。第１電源線１３１の一方端は、基板１１２の外側で、保持部１１３のアノード電極に接続される。第１電源線１３１の他方端は、放熱シート１２５の貫通孔１２５ａを通り、さらに放熱部１２０の貫通孔１２０ａから、放熱部１２０のうち第１面１２１（具体的には第１所定領域１２１Ｗ）の反対側に引き出され、端子収容部１５１の端子収容空間１５１Ａ（後述）に導かれる。第１所定領域１２１Ｗの反対側は、放熱部１２０のうち、照射方向ＬＡと逆方向を向いている側のことである。
【００４５】
一方、第２電源線１３２の一方端は、基板１１２の外側で、保持部１１３のカソード電極に接続される。第２電源線１３２の他方端は、放熱シート１２５の貫通孔１２５ｂを通り、さらに放熱部１２０の貫通孔１２０ｂから、放熱部１２０のうち第１面１２１（具体的には第１所定領域１２１Ｗ）の反対側に引き出され、端子収容部１５１の端子収容空間１５１Ａに導かれる。
【００４６】
第２電力線１６０は、光源部１１０に電力を供給するために、第３電源線１６３及び第４電源線１６４を含む。第３電源線１６３及び第４電源線１６４の各々は、絶縁体で被覆されている導線である。第３電源線１６３の一方端及び第４電源線１６４の一方端の各々は、電源部１４（図１）に接続される。そして、第３電源線１６３の他方端及び第４電源線１６４の他方端の各々は、アーム部１３（図１）に挿通され、端子収容部１５１の端子収容空間１５１Ａに導かれる。
【００４７】
圧着端子部１７０は、第１圧着端子１７１及び第２圧着端子１７２を含む。第１圧着端子１７１及び第２圧着端子１７２の各々は、本実施形態では、閉端接続子である。第１圧着端子１７１及び第２圧着端子１７２の各々は、圧着部と被覆部とを含む。圧着部は塑性を有する電気導電体により形成される。圧着部は例えば金属製である。被覆部は、電気絶縁体により形成され、圧着部を被覆する。
【００４８】
本実施形態では、第１圧着端子１７１及び第２圧着端子１７２の各々の被覆部の外形は、円錐台に円柱を結合させた形状である。そして、被覆部のうち、外形が円柱状の部分には、略円筒状（スリーブ状）の圧着部が挿入されている。このように、圧着部の構造が簡素であり、また、被覆部は簡素な構造の圧着部を被覆する。従って、第１圧着端子１７１及び第２圧着端子１７２の各々は、一般的なコネクタよりも小さい。なお、一般的なコネクタは、例えば、係合手段及びジャック並びに被係合手段及びプラグを備えている。従って、一般的なコネクタの被覆部は、係合手段を含むように形成することと、ジャックを収納する構造を含むように形成することとが要求される。また、一般的なコネクタの被覆部は、被係合手段を含むように形成することと、プラグを収納する構造を含むように形成することとが要求される。その結果、一般的なコネクタの外形は比較的大きくなる。
【００４９】
第１圧着端子１７１及び第２圧着端子１７２の各々は、一端側に開口を有している。第１電源線１３１の他方端及び第３電源線１６３の他方端は、露出され、第１圧着端子１７１の開口に挿入されている。第１圧着端子１７１の開口は、第１電源線１３１の他方端と第３電源線１６３の他方端とを挿入可能な大きさを有する。また、第１圧着端子１７１の内部には、第１電源線１３１の他方端と第３電源線１６３の他方端とを収容できる空間が形成されている。例えば、第１圧着端子１７１の圧着部は、略円筒状であり、第１電源線１３１の他方端と第３電源線１６３の他方端とを収容できる空間を有する。
【００５０】
第１圧着端子１７１の圧着部は、第１電源線１３１の他方端及び第３電源線１６３の他方端を押圧して圧着する。具体的には、第１圧着端子１７１の圧着部を圧着工具で押圧すると、圧着部が変形して、圧着部が第１電源線１３１の他方端及び第３電源線１６３の他方端を圧着する。従って、第１電源線１３１と第３電源線１６３とは、第１圧着端子１７１の圧着部内で電気的に接続されている。第１電源線１３１と第３電源線１６３とは、第１圧着端子１７１の圧着部の変形によって直接接続されるため、第１圧着端子１７１は、ジャック及びプラグを介して接続を行う一般的なコネクタよりも小さい。
【００５１】
一方、第２電源線１３２の他方端及び第４電源線１６４の他方端は露出され、第２圧着端子１７２の開口に挿入されている。第２圧着端子１７２の開口は、第２電源線１３２の他方端と第４電源線１６４の他方端とを挿入可能な大きさを有する。また、第２圧着端子１７２の内部には、第２電源線１３２の他方端と第４電源線１６４の他方端とを収容できる空間が形成されている。例えば、第２圧着端子１７２の圧着部は、略円筒状であり、第２電源線１３２の他方端と第４電源線１６４の他方端とを収容できる空間を有する。
【００５２】
第２圧着端子１７２の圧着部は、第２電源線１３２の他方端及び第４電源線１６４の他方端を押圧して圧着する。具体的には、第２圧着端子１７２の圧着部を圧着工具で押圧すると、圧着部が変形して、圧着部が第２電源線１３２の他方端及び第４電源線１６４の他方端を圧着する。従って、第２電源線１３２と第４電源線１６４とは、第２圧着端子１７２の圧着部内で電気的に接続されている。第２電源線１３２と第４電源線１６４とは、第２圧着端子１７２の圧着部の変形によって直接接続されるため、第２圧着端子１７２は、ジャック及びプラグを介して接続を行う一般的なコネクタよりも小さい。
【００５３】
ベース部材１５０は、端子収容部１５１及び壁部１５５を含む。端子収容部１５１は、端子収容空間１５１Ａ、壁面１５２、ベース面１５３、及び２つのネジ孔１５３ｄを有する。ベース面１５３は、略円環状である。ベース面１５３は、ベース部材１５０の内側に位置する。ベース面１５３は、放熱部１２０の第２面１２２に沿った平坦面であり、放熱部１２０の第２面１２２に対向する。具体的には、ベース面１５３は、第２面１２２のうち、第１面１２１の第２所定領域１２１Ｓの反対側の面に対向する。
【００５４】
壁面１５２は、略円筒状であり、ベース面１５３の内縁から照射方向ＬＡと反対方向に向かって延びる。端子収容空間１５１Ａは、壁面１５２によって規定される略円柱状の空間である。２つのネジ孔１５３ｄは、端子収容空間１５１Ａを挟むように、ベース面１５３に位置する。２つのネジ孔１５３ｄの位置は、放熱部１２０の２つの貫通孔１２０ｄの位置に対応する。２つの貫通孔１２０ｄは、放熱部１２０の第２所定領域１２１Ｓに位置している。壁部１５５は、略円筒状であり、ベース面１５３の外縁から、照射方向ＬＡに向かって延びる。壁部１５５は、光源ユニット１００を囲む。
【００５５】
第２固定具１８０は、光源ユニット１００をベース部材１５０に固定している。具体的には、第２固定具１８０は、放熱部１２０の第１面１２１の側から、放熱部１２０をベース部材１５０に固定する。
【００５６】
更に具体的には、第２固定具１８０は、本実施形態では、ネジである。２つの第２固定具１８０は、それぞれ、放熱部１２０の２つの貫通孔１２０ｄを通される。そして、２つの第２固定具１８０は、それぞれ、端子収容部１５１の２つのネジ孔１５３ｄに螺合される。すなわち、２つの第２固定具１８０は、それぞれ、放熱部１２０の第１面１２１から第２面１２２に向かうように、２つのネジ孔１５３ｄに螺合される。そして、放熱部１２０は、第２固定具１８０の頭部とベース面１５３とで締め付けられ、ベース部材１５０に固定される。その結果、放熱部１２０に固定されている光源部１１０は、ベース部材１５０に取り付けられる。放熱部１２０の第２面１２２はベース部材１５０のベース面１５３及び端子収容空間１５１Ａに対向している。
【００５７】
電源部１４（図１）は、第３電源線１６３、第１圧着端子１７１、及び第１電源線１３１を介して、光源部１１０に第１電源電圧を印加する。第１電源電圧は、例えばプラス電位を示す。なお、第１電源線１３１に印加された第１電源電圧は、保持部１１３のアノード電極に印加される。そして、保持部１１３のアノード電極に印加された第１電源電圧は、アノード電極１１２ａを介して発光素子１１１のアノードに印加される。
【００５８】
一方、電源部１４（図１）は、第４電源線１６４、第２圧着端子１７２、及び第２電源線１３２を介して、光源部１１０に第２電源電圧を印加する。第２電源電圧は、例えば接地電位を示す。なお、第２電源線１３２に印加された第２電源電圧は、保持部１１３のカソード電極に印加される。そして、保持部１１３のカソード電極に印加された第２電源電圧は、カソード電極１１２ｂを介して発光素子１１１のカソードに印加される。
【００５９】
以上、図１〜図３を参照して説明したように、本実施形態によれば、第１電源線１３１と第３電源線１６３とを第１圧着端子１７１によって接続している。加えて、第２電源線１３２と第４電源線１６４とを第２圧着端子１７２によって接続している。そして、第１圧着端子１７１と第２圧着端子１７２との大きさは、一般的なコネクタよりも小さい。従って、一般的なコネクタによる接続と比較して、照明ユニット１１を小型化でき、ひいては、照明器具１０を小型化できる。
【００６０】
また、本実施形態によれば、第１圧着端子１７１と第２圧着端子１７２との大きさは、一般的なコネクタよりも小さいため、端子収容空間１５１Ａを一般的なコネクタ収容空間よりも小さくできる。従って、一般的なコネクタによる接続と比較して、照明ユニット１１を更に小型化でき、ひいては、照明器具１０を更に小型化できる。
【００６１】
さらに、本実施形態によれば、光源部１１０は放熱部１２０に固定されており、放熱部１２０は第２固定具１８０によってベース部材１５０に固定されている。従って、第２固定具１８０を取り外すことによって、光源部１１０が固定されたたまま放熱部１２０を取り外すことができる。その結果、光源ユニット１００を容易に取り外すことができ、光源ユニット１００を容易に交換できる。また、光源ユニット１００を交換できるため、光源ユニット１００に故障が生じたとしても照明ユニット１１の全体を廃棄することなく、光源ユニット１００のみを廃棄できる。
【００６２】
さらに、本実施形態によれば、第１電力線１３０に含まれる第１電源線１３１及び第２電源線１３２は、それぞれ、貫通孔１２０ａ及び貫通孔１２０ｂを通って放熱部１２０の第１面１２１の反対側に引き出されている。従って、貫通孔を設けずに、第１電力線１３０が放熱部１２０の第１面１２１に沿って引き出される場合と比較して、光源ユニット１００の大型化を抑制できる。すなわち、本実施形態では、放熱部１２０の第１面１２１に第１電力線１３０が配置されないため、放熱部１２０及び光源ユニット１００のサイズを小型化できる。
【００６３】
さらに、本実施形態によれば、放熱部１２０は、カバー１４０の外側の領域で、第２固定具１８０によってベース部材１５０に装着されている。従って、カバー１４０を保持部１１３から取り外すことなく、光源ユニット１００をベース部材１５０から取り外すことが出来る。その結果、さらに容易に光源部１１０を交換できる。
【００６４】
さらに、本実施形態によれば、カバー１４０が光源部１１０（具体的には保持部１１３）に固定された状態で、光源ユニット１００をベース部材１５０から取り外すことができる。従って、発光素子１１１が露出されることなく、光源ユニット１００をベース部材１５０から取り外すことができる。その結果、光源ユニット１００を交換する際に、作業者が、発光素子１１１、アノード電極１１２ａ、及びカソード電極１１２ｂに接触することを防止できる。
【００６５】
さらに、本実施形態によれば、基板１１２を保持する保持部１１３は、放熱シート１２５を介して放熱部１２０の第１所定領域１２１Ｗに固定されている。従って、基板１１２を取り外すことなく、光源ユニット１００をベース部材１５０から取り外すことができる。その結果、さらに容易に光源ユニット１００を交換できる。
【００６６】
さらに、本実施形態によれば、第２固定具１８０を取り外し、第１電源線１３１及び第２電源線１３２を切断することによって、光源ユニット１００をベース部材１５０から容易に取り外すことができる。その結果、さらに容易に光源ユニット１００を交換できる。
【００６７】
さらに、本実施形態によれば、電源部１４は電源収容部１２に収容され、電源収容部１２とベース部材１５０とは、アーム部１３によって連結される。従って、光源ユニット１００から離れた位置に電源部１４を配置できる。その結果、照明器具１０の設計の自由度を向上できる。
【００６８】
以上、図面を参照しながら本発明の実施形態について説明した。但し、本発明は、上記の実施形態に限られるものではなく、その要旨を逸脱しない範囲で種々の態様において実施することが可能である（例えば、下記に示す（１）〜（５））。また、上記の実施形態に開示されている複数の構成要素を適宜組み合わせることによって、種々の発明の形成が可能である。例えば、実施形態に示される全構成要素から幾つかの構成要素を削除してもよい。さらに、異なる実施形態にわたる構成要素を適宜組み合わせてもよい。図面は、理解しやすくするために、それぞれの構成要素を主体に模式的に示しており、図示された各構成要素の厚み、長さ、個数、間隔等は、図面作成の都合上から実際とは異なる場合もある。また、上記の実施形態で示す各構成要素の材質、形状、寸法等は一例であって、特に限定されるものではなく、本発明の効果から実質的に逸脱しない範囲で種々の変更が可能である。
【００６９】
（１）図１を参照して説明したように、本実施形態では、照明器具１０は、複数の照明ユニット１１及び複数のアーム部１３を含んだ。ただし、照明器具１０は、単数の照明ユニット１１及び単数のアーム部１３を含んでもよい。
【００７０】
（２）図２を参照して説明したように、本実施形態では、放熱部１２０は、略円板状であったが、放熱部１２０の形状は略円板状に限定されず、任意の形状でよい。例えば、放熱部１２０は、略多角形状であってもよい。
【００７１】
（３）図２を参照して説明したように、本実施形態において、端子収容空間１５１Ａは、略円柱状であるが、端子収容空間１５１Ａは、略角柱状であってもよい。
【００７２】
（４）図２を参照して説明したように、本実施形態において、基板１１２は、略矩形状であるが、基板１１２は、略円形状であってもよいし、略多角形状であってもよい。
【００７３】
（５）図２及び図３を参照して説明したように、本実施形態において、圧着端子部１７０は、第１圧着端子１７１及び第２圧着端子１７２を含んだ。ただし、圧着端子部１７０の構成は、圧着を行う限り、特に限定されない。従って、圧着端子部１７０は、導線同士を直接接続してもよいし、導線同士を導電性部材を介して間接的に接続してもよい。
【００７４】
例えば、圧着端子部１７０は、第１圧着端子１７１及び第２圧着端子１７２に代えて第３圧着端子（不図示）及び第４圧着端子（不図示）を含んでもよい。第３圧着端子及び第４圧着端子の各々は、略円筒状（スリーブ状）の圧着部と、被覆部とを有する。圧着部は塑性を有する電気導電体により形成される。圧着部は例えば金属製である。被覆部は電気絶縁体により形成される。
【００７５】
第１電源線１３１は、第３圧着端子の圧着部の一対の開口のうちの一方の開口から、圧着部に挿入されている。第３電源線１６３は、他方の開口から挿入されている。そして、圧着部が押圧されて変形している。その結果、第１電源線１３１と第３電源線１６３とは、圧着され、電気的に接続されている。第３圧着端子の被覆部は、第３圧着端子の圧着部を被覆している。また、第４圧着端子は、第３圧着端子と同様にして、第２電源線１３２と第４電源線１６４とを電気的に接続している。
【００７６】
第３圧着端子の圧着部及び第４圧着端子の圧着部の各々は、例えば、裸圧着スリーブである。第３圧着端子の被覆部及び第４圧着端子の被覆部の各々は、例えば、絶縁材である。絶縁材は、例えば、絶縁テープである。
【００７７】
例えば、圧着端子部１７０は、第１圧着端子１７１及び第２圧着端子１７２に代えて、第５圧着端子（不図示）、第６圧着端子（不図示）、第７圧着端子（不図示）、及び第８圧着端子（不図示）を含んでもよい。第５圧着端子〜第８圧着端子の各々は、略円環状の接続部と、略円筒状の圧着部とを有する。接続部と圧着部とは一体形成されている。接続部及び圧着部は、塑性を有する電気導電体により形成される。接続部及び圧着部は例えば金属製である。また、第５圧着端子と第６圧着端子とは、第５圧着端子と第６圧着端子とで共用される被覆部（以下、「共用被覆部」と記載する。）をさらに有する。共用被覆部は電気絶縁体により形成される。
【００７８】
第１電源線１３１は、第５圧着端子の圧着部の開口から、圧着部に挿入されている。そして、圧着部が押圧されて変形している。その結果、圧着部は、第１電源線１３１に圧着し、第１電源線１３１に電気的に接続されている。一方、第３電源線１６３は、第６圧着端子の圧着部の開口から、圧着部に挿入されている。そして、圧着部が押圧されて変形している。その結果、圧着部は、第３電源線１６３に圧着し、第３電源線１６３に電気的に接続されている。さらに、第５圧着端子の接続部と第６圧着端子の接続部とが接触するように、共用被覆部は、第５圧着端子の接続部及び圧着部と第６圧着端子の接続部及び圧着部とを被覆している。また、第７圧着端子及び第８圧着端子は、第５圧着端子及び第６圧着端子と同様にして、第２電源線１３２と第４電源線１６４とを電気的に接続している。
【００７９】
第５圧着端子〜第８圧着端子の各々は、例えば、裸圧着端子である。共用被覆部の各々は、例えば、絶縁材である。絶縁材は、例えば、絶縁テープである。
【産業上の利用可能性】
【００８０】
本発明は、照明器具の分野に利用可能である。
【符号の説明】
【００８１】
１０      照明器具
１２      電源収容部
１３      アーム部（連結部）
１４      電源部
１００    光源ユニット
１１０    光源部
１１１    発光素子
１１２    基板
１１３    保持部
１１６    第１固定具
１２０    放熱部
１２０ａ、１２０ｂ    貫通孔
１２１Ｗ    第１所定領域（所定領域）
１２１Ｓ    第２所定領域
１３０    第１電力線
１４０    カバー
１５０    ベース部材
１５１    端子収容部
１６０    第２電力線
１７０    圧着端子部
１８０    第２固定具（固定具）
【図１】
2017174669.tif 000003
【図２】
2017174669.tif 000004
【図３】
2017174669.tif 000005